(57)【要約】【課題】  表示装置の消費電力を抑制することができる技術を提案する。【解決手段】  表示装置は、画像情報を出力するマイコンと、画像情報を保持する液晶装置と、所定周期毎に液晶装置にパルス信号を出力する発振回路と、を備えている。液晶装置は、パルス信号により、複数の画素に印加する電圧の極性を反転させるように構成されている。マイコンは、液晶装置に画像情報を出力し、発振回路にパルス信号の出力を許可または禁止するかの指示を出力する制御部を備えている。マイコンは、制御部に電力を供給する通常モードと、制御部への電力供給を停止する省電力モードとの間で運転モードを切り替え可能である。制御部は、マイコンが通常モードで動作中において、発振回路への指示を許可または禁止に切り替え可能である。マイコンの運転モードが、通常モードから省電力モードに切り替わる場合において、通常モード中の発振回路への指示の出力が保持される。【選択図】図１
2018013723.tif 000002
【特許請求の範囲】
【請求項１】
画像情報を出力するマイコンと、
前記マイコンから出力される前記画像情報を用いて複数の画素に電圧を印加することで画像を表示するとともに、前記画像情報を保持する液晶装置と、
所定周期毎に前記液晶装置にパルス信号を出力する発振回路と、を備えており、
前記液晶装置は、前記パルス信号により、前記複数の画素に印加する電圧の極性を反転させるように構成されており、
前記マイコンは、前記液晶装置に前記画像情報を出力し、前記発振回路に前記パルス信号の出力を許可または禁止するかの指示を出力する制御部を備えており、
前記マイコンは、前記制御部に電力を供給する通常モードと、前記制御部への電力供給を停止する省電力モードとの間で運転モードを切り替え可能であり、
前記制御部は、前記マイコンが前記通常モードで動作中において、前記発振回路への前記指示を許可または禁止に切り替え可能であり、
前記マイコンの前記運転モードが、前記通常モードから前記省電力モードに切り替わる場合において、前記通常モード中の前記発振回路への前記指示の出力が保持される、表示装置。
【請求項２】
前記発振回路は、前記マイコンに内蔵されており、
前記発振回路は、前記マイコンが前記通常モードから前記省電力モードに切り替わるときに保持される前記指示の出力が、前記パルス信号の出力を許可する前記指示である場合は、前記マイコンが前記省電力モードで動作していても、前記パルス信号を前記液晶装置に出力することができる、請求項１に記載の表示装置。
【請求項３】
前記発振回路は、前記マイコンの外部に設けられており、
前記発振回路は、前記マイコンが前記通常モードから前記省電力モードに切り替わるときに保持される前記指示の出力が、前記パルス信号の出力を許可する前記指示である場合は、前記マイコンが前記省電力モードで動作していても、前記パルス信号を前記液晶装置に出力することができる、請求項１に記載の表示装置。
【発明の詳細な説明】
【技術分野】
【０００１】
本明細書で開示する技術は、表示装置に関する。
【背景技術】
【０００２】
特許文献１には、画像情報を出力するマイコンと、マイコンから出力される画像情報を用いて複数の画素に電圧を印加することで画像を表示するとともに、画像情報を保持する液晶装置と、所定周期毎にパルス信号を液晶装置に出力する発振回路と、を備える表示装置が開示されている。マイコンは、発振回路がパルス信号を出力することを制御する制御部を備えている。液晶装置は、発振回路からパルス信号が入力される場合に、複数の画素に印加する電圧の極性を反転させている。
【先行技術文献】
【特許文献】
【０００３】
【特許文献１】国際公開第２０１１／１０２３４９号公報
【発明の概要】
【発明が解決しようとする課題】
【０００４】
一般的に、マイコンから出力される画像情報を保持することができる液晶装置、例えば、メモリ液晶は、マイコンから画像情報を出力し続けなくても液晶装置内のメモリ回路が画像情報を保持するため、表示させるべき画像情報に変化がない場合には、マイコンの一部または全部への電力供給を停止して、低消費電力で静止画を表示させることができる。しかしながら、このような液晶装置においては、静止画を表示している場合において、所定周期毎に、複数の画素に印加されている電圧の極性を反転させる必要がある。これは、液晶装置の劣化を防止するためである。
【０００５】
また、上記の液晶装置においては、表示装置の電源がＯＮされる場合に、液晶装置に画像を表示させる前に、液晶装置内のメモリ回路の初期化処理が実行される。この場合、初期化処理中は、液晶装置へのパルス信号の出力を禁止させる必要がある。
【０００６】
従って、制御部は、初期化処理中は発振回路のパルス信号の出力を禁止し、初期化処理が完了した後は発振回路のパルス信号の出力を許可しなければならない。このため、発振回路へのパルス信号の出力の許可または禁止を制御するために、制御部には、常時、電力が供給されている必要がある。従って、例えば、表示させるべき画像情報に変化がない場合でも、制御部では電力を消費し続ける。表示装置の消費電力をより低減することが可能な技術が望まれる。
【０００７】
本明細書では、表示装置の消費電力を抑制することができる技術を提案する。
【課題を解決するための手段】
【０００８】
本明細書が開示する表示装置は、画像情報を出力するマイコンと、マイコンから出力される画像情報を用いて複数の画素に電圧を印加することで画像を表示するとともに、画像情報を保持する液晶装置と、所定周期毎に液晶装置にパルス信号を出力する発振回路と、を備えている。液晶装置は、パルス信号により、複数の画素に印加する電圧の極性を反転させるように構成されている。マイコンは、液晶装置に画像情報を出力し、発振回路にパルス信号の出力を許可または禁止するかの指示を出力する制御部を備えている。マイコンは、制御部に電力を供給する通常モードと、制御部への電力供給を停止する省電力モードとの間で運転モードを切り替え可能である。制御部は、マイコンが通常モードで動作中において、発振回路への指示を許可または禁止に切り替え可能である。マイコンの運転モードが、通常モードから省電力モードに切り替わる場合において、通常モード中の発振回路への指示の出力が保持される。
【０００９】
上記の構成によると、表示装置の初期化処理中において、制御部が、発振回路のパルス信号を禁止する指示を出力することで、液晶装置にパルス信号は出力されない。また、初期化処理が完了した後において、マイコンが、通常モードから省電力モードへ切り替わる前に、制御部から発振回路への指示を許可に切り替えておけば、マイコンが省電力モードに切り替わった後も、発振回路によるパルス信号の出力は維持される。このため、画像情報を液晶装置に出力する必要が無い場合などにおいて、マイコンの運転モードを省電力モードに切り替えても、所定周期毎に発振回路から液晶装置にパルス信号を出力することができる。これにより、表示装置の消費電力を抑制することができる。
【図面の簡単な説明】
【００１０】
【図１】第１実施例に係る表示装置の構成を示す図。
【図２】第１実施例に係る表示装置の動作を表すタイムチャート。
【図３】第２実施例に係る表示装置の構成を示す図。
【図４】第２実施例に係る発振回路の動作を表すタイムチャート。
【発明を実施するための形態】
【００１１】
（特徴１）発振回路は、マイコンに内蔵されていてもよい。この場合、発振回路は、マイコンが通常モードから省電力モードに切り替わるときに保持される指示の出力が、パルス信号の出力を許可する指示である場合は、マイコンが省電力モードで動作していても、パルス信号を液晶装置に出力することができるとよい。
【００１２】
このような構成によると、発振回路がマイコンの外部に設けられている場合と比較して、マイコン周辺の部品の設計の自由度を高めることができる。また、マイコンの運転モードが、通常モードから省電力モードへ切り替わる前に、制御部から発振回路への指示を許可に切り替えておけば、マイコンが省電力モードに切り替わった後も、発振回路によるパルス信号の出力は維持される。
【００１３】
（特徴２）発振回路は、マイコンの外部に設けられていてもよい。この場合、発振回路は、マイコンが通常モードから省電力モードに切り替わるときに保持される指示の出力が、パルス信号の出力を許可する指示である場合は、マイコンが省電力モードで動作していても、パルス信号を液晶装置に出力することができるとよい。
【００１４】
このような構成によると、発振回路にマイコンが内蔵されている場合と比較して、マイコンを小型化することができる。また、マイコンの運転モードが、通常モードから省電力モードへ切り替わる前に、制御部から発振回路への指示を許可に切り替えておけば、マイコンが省電力モードに切り替わった後も、発振回路によるパルス信号の出力は維持される。
【００１５】
（第１実施例）
図１に示すように、表示装置２は、マイコン１０と、ＬＣＤ（liquid crystal displayの略）５０と、レギュレータ６０と、電源１１０と、を備えている。電源１１０の電源電圧は、３．３Vである。電源１１０は、マイコン１０に電力を供給する。また、電源１１０は、レギュレータ６０を介して、ＬＣＤ５０に電力を供給する。レギュレータ６０は、電源１１０の電圧を５Ｖに昇圧し、ＬＣＤ５０に供給する。なお、レギュレータ６０は、マイコン１０から出力される電源信号に基づいて、動作するように構成されている。マイコン１０は、ＬＣＤ５０に接続されている。マイコン１０は、画像信号をＬＣＤ５０に出力する。ＬＣＤ５０は、マイコン１０から入力される画像信号を用いて、画像を表示する。
【００１６】
ＬＣＤ５０は、メモリ液晶である。メモリ液晶は従来公知の構成である。このため、以下では、ＬＣＤ５０について簡単に説明する。ＬＣＤ５０は、複数の画素（図示省略）で構成されている。複数の画素は、メモリ回路（図示省略）を有している。メモリ回路は、マイコン１０から入力される画像信号に基づいて、当該メモリ回路が内蔵されている画素に対応する電位情報などを保持する。このため、ＬＣＤ５０が静止画像を表示する場合、マイコン１０は、ＬＣＤ５０に画像信号を送信し続ける必要がない。しかしながら、ＬＣＤ５０において、複数の画素のそれぞれに印加されている電圧が長時間に渡って変化しない場合、ＬＣＤ５０の画質が劣化するなどの事態が発生する。このような事態を回避するため、ＬＣＤ５０は、ＲＴＣ出力部２８（詳細は後述する）からパルス信号が入力される度に、複数の画素に印加される電圧の極性を変化させるように構成されている。なお、複数の画素に印加される電圧の極性の反転については、公知の方法で実行することができるため、説明を省略する。
【００１７】
マイコン１０は、制御部１２と、入出力部１４と、ＲＴＣ（Real Time clockの略）回路２６と、ＲＴＣ出力部２８と、割込端子３４と、を備えている。制御部１２は、ＣＰＵ、ＲＯＭ、ＲＡＭなどを備えている。ＲＯＭには、ＬＣＤ５０に表示させる画像データなどが記憶されている。制御部１２は、入出力部１４と、ＲＴＣ回路２６に接続されている。制御部１２は、入出力部１４及びＲＴＣ回路２６の動作を制御する。また、制御部１２は、マイコン１０に外付けされているメインクロック３０に接続されている。メインクロック３０は、セラミック発振子であり、第２所定周期毎にクロックパルス信号を制御部１２に出力する。なお、より精度の高いクロックパルス信号が必要な場合は、セラミック発振子に代えて、水晶発振子を用いてもよい。制御部１２は、メインクロック３０から出力されるクロックパルス信号を入出力部１４に出力する。割込端子３４には、例えば、表示装置２の動作を制御する上位のマイコンから、マイコン１０にＬＣＤ５０へ画像信号を出力させるための割込信号が入力される。マイコン１０は、割込端子３４に信号が入力される場合に、制御部１２を動作させ、ＬＣＤ５０に画像信号を出力する。
【００１８】
入出力部１４は、電源信号出力部１６と、ＣＬＫ信号出力部１８と、ＳＯ信号出力部２０と、ＣＳ信号出力部２２と、表示信号出力部２４と、を備えている。電源信号出力部１６は、電源信号をレギュレータ６０に出力する。電源信号は、レギュレータ６０の動作を制御する信号である。具体的には、電源信号出力部１６は、第１のＯＮ信号と第１のＯＦＦ信号を出力する。第１のＯＮ信号が入力される場合、レギュレータ６０は動作し、第１のＯＦＦ信号が入力される場合、レギュレータ６０は動作しない。
【００１９】
ＣＬＫ信号出力部１８は、シリアルクロック信号をＬＣＤ５０に出力する。ＳＯ信号出力部２０は、シリアル入力信号をＬＣＤ５０に出力する。ＣＳ信号出力部２２は、シリアルチップセレクト信号をＬＣＤ５０に出力する。シリアルクロック信号、シリアル入力信号、及び、シリアルチップセレクト信号は、制御部１２から入力される画像データに基づいて生成される信号である。また、シリアルクロック信号、シリアル入力信号、及び、シリアルチップセレクト信号が、画像信号である。
【００２０】
表示信号出力部２４は表示信号をＬＣＤ５０に出力する。表示信号は、ＬＣＤ５０の画像の表示を制御する信号である。表示信号出力部２４は、ＬＣＤ５０に画像の表示を要求する第２のＯＮ信号と、ＬＣＤ５０に画像の表示を要求しない第２のＯＦＦ信号のいずれかを出力する。
【００２１】
ＲＴＣ回路２６は、制御部１２、ＲＴＣ出力部２８、および、マイコン１０に外付けされているサブクロック３２に接続されている。サブクロック３２は、水晶発振子であり、第３所定周期毎に、クロックパルス信号をＲＴＣ回路２６に出力する。なお、サブクロック３２の第３所定周期は、メインクロック３０の第２所定周期よりも長い。ＲＴＣ回路２６は、サブクロック３２から入力されるクロックパルス信号を用いて、時間を計時する。ＲＴＣ回路２６は、計時した時間情報を用いて、第１所定周期毎に、信号をＲＴＣ出力部２８に出力する。ＲＴＣ回路２６から入力される信号に基づいて、ＲＴＣ出力部２８は、第１所定周期（例えば１Ｈｚ）のパルス信号をＬＣＤ５０に出力する。ＲＴＣ出力部からパルス信号が入力される場合、ＬＣＤ５０は、複数の画素に印加する電圧の極性を反転させる。また、ＲＴＣ回路２６は、制御部１２に接続されている。制御部１２は、ＲＴＣ回路２６の動作を制御する信号を出力する。具体的には、制御部１２は、ＲＴＣ回路２６にＨｉｇｈレベル信号とＬｏｗレベル信号のいずれかを出力する。Ｈｉｇｈレベル信号が入力される場合、ＲＴＣ回路２６は、時間を計時するとともに、第１所定周期毎に、ＲＴＣ出力部２８に信号を出力する。一方、Ｌｏｗレベル信号が入力される場合、ＲＴＣ回路２６の動作は停止する。このため、ＲＴＣ回路２６からＲＴＣ出力部２８に信号が出力されず、ＲＴＣ出力部２８からＬＣＤ５０にパルス信号が出力されない。
【００２２】
また、マイコン１０は、通常モードと、通常モードよりも消費電力が小さいスリープモード（省電力モード）のいずれかの運転モードで動作可能である。割込端子３４への画像出力指示の入力があった場合に、マイコン１０は、スリープモードから通常モードに移行し、ＬＣＤ５０に画像信号を出力する。次いで、マイコン１０は、ＬＣＤ５０への画像情報の出力が完了したと判断した場合に、通常モードからスリープモードに移行する。
【００２３】
通常モードは、マイコン１０からＬＣＤ５０に画像信号を出力する場合の運転モードである。この場合、マイコン１０は、制御部１２、ＲＴＣ回路２６、ＲＴＣ出力部２８に電力を供給する。一方、スリープモードは、ＬＣＤ５０に画像情報を出力しない場合の運転モードである。すなわち、ＬＣＤ５０に画像信号を出力した後であり、ＬＣＤ５０が画像信号を保持している場合の運転モードである。この場合、マイコン１０は、ＲＴＣ回路２６、ＲＴＣ出力部２８への電力供給は継続し、制御部１２への電力供給を停止する。なお、マイコン１０が通常モードからスリープモードに移行する場合において、電源信号出力部１６からレギュレータ６０に出力される電源信号の出力、および、制御部１２からＲＴＣ回路２６に出力される信号の出力は、維持される。従って、通常モード中において、レギュレータ６０に第１のＯＮ信号が入力されている場合、マイコン１０がスリープモードに移行しても、レギュレータ６０への第１のＯＮ信号の入力は継続される。また、通常モード中において、ＲＴＣ回路２６にＨｉｇｈレベル信号が入力されている場合、マイコン１０がスリープモードに移行しても、ＲＴＣ回路２６へのＨｉｇｈレベル信号の入力は継続される。このため、制御部１２への電力供給が停止されている場合であっても、ＲＴＣ回路２６は動作する。従って、マイコン１０が通常モードで動作中に、ＲＴＣ回路２６にＨｉｇｈレベル信号を出力しておけば、マイコン１０が通常モードからスリープモードに移行しても、ＲＴＣ回路２６の動作を継続させることができる。このため、ＲＴＣ出力部２８からＬＣＤ５０へのパルス信号の出力も継続する。これにより、マイコン１０がスリープモードで動作している場合でも、ＬＣＤ５０は、第１所定周期毎に、複数の画素に印加されている電圧の極性を反転させることができる。以上により、ＬＣＤ５０に画像信号を出力する必要が無い場合において、マイコン１０を、スリープモードで動作させることができる。これにより、マイコン１０の消費電力量を抑制することができる。
【００２４】
次に、図２を用いて、マイコン１０およびＬＣＤ５０の動作について説明する。マイコン１０およびＬＣＤ５０の動作は、ＯＮ動作（初期化処理）、通常動作、および、ＯＦＦ動作で構成されている。なお、図２は、電源１１０からＬＣＤ５０に供給される電源情報、および、マイコン１０からＬＣＤ５０に入力される信号を示している。
【００２５】
まず、ＯＮ動作中のマイコン１０およびＬＣＤ５０の動作について説明する。ＯＮ動作は、マイコン１０から指示される場合に開始される。
【００２６】
ＯＮ動作が開始されると、マイコン１０の制御部１２は、電源信号出力部１６に、レギュレータ６０への第１のＯＮ信号の出力を指示する。電源信号出力部１６から第１のＯＮ信号が入力されると、レギュレータ６０は動作を開始する。これにより、電源１１０から、レギュレータ６０を介して、ＬＣＤ５０への電力の供給が開始される。このため、第１所定期間Ｔ１において、ＬＣＤ５０に印加される電圧が５Ｖに向かって増加する。
【００２７】
第１所定期間Ｔ１が経過すると、制御部１２は、入出力部１４に、ＬＣＤ５０への画像信号の出力を指示する。第１所定期間Ｔ１は、ＬＣＤ５０に供給される電圧が５Ｖに達するのに要する時間である。制御部１２は、画像信号として、複数の画素のメモリ回路に保持されている情報の初期化を要求する信号（以下では、初期化信号と呼ぶ）を出力する。初期化信号が入力されると、第２所定期間Ｔ２において、ＬＣＤ５０は、複数の画素のメモリ回路に保持されている情報を初期化する。第２所定期間Ｔ２は、例えば、３０μｓである。なお、第２所定期間Ｔ２において、ＬＣＤ５０に入力される信号としては、ＬＣＤ５０の画面全体を白くすることを要求する信号であってもよい。
【００２８】
第２所定期間が経過すると、制御部１２は、表示信号出力部２４に、ＬＣＤ５０への第２のＯＮ信号の出力を指示する。第２のＯＮ信号が入力されると、第３所定期間Ｔ３において、ＬＣＤ５０は、複数の素子への電圧の印加を開始する。第３所定期間Ｔ３は、例えば、３０μｓである。第３所定期間Ｔ３が経過すると、制御部１２は、ＯＮ動作が完了したと判断し、通常動作に移行する。
【００２９】
次に、通常動作中のマイコン１０およびＬＣＤ５０の動作について説明する。まず、通常動作中のマイコン１０の動作について説明する。通常動作に移行すると、マイコン１０は、まず、通常モードで動作する。そして、制御部１２は、ＲＴＣ回路２６にＨｉｇｈレベル信号を出力する。これにより、ＲＴＣ回路２６およびＲＴＣ出力部２８の動作が開始され、第１所定周期毎に、パルス信号が出力される（通常駆動）。ＲＴＣ回路２６およびＲＴＣ出力部２８の動作が開始したら、マイコン１０は、通常モードからスリープモードに移行する。これにより、制御部１２への電力供給は停止され、ＲＴＣ回路２６、ＲＴＣ出力部２８への電力供給は継続される。割込端子３４に信号が入力される場合に、マイコン１０は、ＬＣＤ５０に画像信号を出力する（通常駆動）。ＬＣＤ５０に画像信号を出力する場合に、マイコン１０は、通常モードで動作し、ＬＣＤ５０への画像信号の出力が完了すると、マイコン１０は、スリープモードに移行する。従って、通常動作中において、マイコン１０は、通常モードまたはスリープモードのいずれかの運転モードで動作する。なお、通常動作中において、レギュレータ６０への第１のＯＮ信号の出力、および、ＲＴＣ回路２６へのＨｉｇｈレベル信号の出力は維持される。
【００３０】
通常動作中のＬＣＤ５０の動作について説明する。通常動作中において、ＬＣＤ５０は、マイコン１０から入力される信号に基づいて動作する。例えば、マイコン１０から画像信号が入力される場合に、ＬＣＤ５０は、画像信号を用いて画像を書き換える。画像の書き換えが完了すると、次の画像信号が入力されるまで、ＬＣＤ５０（詳細には、メモリ回路）は画像信号の情報を保持する。また、画像信号の情報を保持している間に、マイコン１０からパルス信号が入力される場合、ＬＣＤ５０は、複数の画素に印加されている電圧の極性を反転させる。
【００３１】
通常動作中に、マイコン１０からＯＦＦ動作への移行が指示されると、ＯＦＦ動作が開始される。
【００３２】
ＯＦＦ動作中のマイコン１０およびＬＣＤ５０の動作について説明する。なお、ＯＦＦ動作に移行した後も、レギュレータ６０への第１のＯＮ信号の出力、および、ＲＴＣ回路２６へのＨｉｇｈレベル信号の出力は維持される。ＯＦＦ動作に移行すると、制御部１２は、入出力部１４に、ＬＣＤ５０への初期化信号の出力を指示する。初期化信号が入力されると、第４所定期間Ｔ４において、ＬＣＤ５０は、メモリ回路内の情報の初期化を開始する。
【００３３】
第４所定期間Ｔ４が経過すると、制御部１２は、表示信号出力部２４に、ＬＣＤ５０への第２のＯＦＦ信号の出力を指示する。また、制御部１２は、ＲＴＣ回路２６への出力を、Ｈｉｇｈレベル信号からＬｏｗレベル信号に切り替える。これにより、ＲＴＣ回路２６およびＲＴＣ出力部２８の動作が停止し、ＲＴＣ出力部２８からＬＣＤ５０へのパルス信号の出力が停止する。表示信号出力部２４から第２のＯＦＦ信号が入力されると、第５所定期間Ｔ５において、ＬＣＤ５０は、複数の画素への電圧の印加を停止する。
【００３４】
第５所定期間Ｔ５が経過すると、制御部１２は、電源信号出力部１６に、レギュレータ６０への第１のＯＦＦ信号の出力を指示する。第１のＯＦＦ信号が入力されると、レギュレータ６０は動作を停止し、ＬＣＤ５０への電力の供給を停止する。これにより、第６所定期間Ｔ６において、ＬＣＤ５０に印加される電圧は、０Ｖに向かって減少する。その後、電源１１０から、マイコン１０に供給される電力が停止し、マイコン１０の動作が停止する。
【００３５】
上述のように、表示装置２のＯＮ動作（初期化処理）中において、制御部１２は、ＲＴＣ出力部２８からＬＣＤ５０へのパルス信号の出力を禁止する必要がある。上記の構成によると、ＯＮ動作中において、制御部１２は、ＲＴＣ回路２６にＬｏｗレベル信号を出力する。これにより、ＯＮ動作中において、ＲＴＣ出力部２８からＬＣＤ５０へのパルス信号の出力は禁止される。
【００３６】
また、上記の構成によると、表示装置２の通常動作中において、マイコン１０が通常モードからスリープモードに移行する場合に、制御部１２からＲＴＣ回路２６に出力される信号は維持される。このため、マイコン１０がスリープモードに移行する前に、制御部１２がＲＴＣ回路２６にＨｉｇｈレベル信号を出力することで、マイコン１０がスリープモードに移行した後も、ＲＴＣ出力部２８からＬＣＤ５０へのパルス信号の出力は継続される。このため、マイコン１０をスリープモードで動作させても、ＬＣＤ５０の劣化は防止される。従って、ＬＣＤ５０に表示される画像を変化させる必要がなく、ＬＣＤ５０に画像信号を出力する必要が無い場合に、マイコン１０をスリープモードで動作させることができる。これにより、表示装置２の消費電力量を抑制することができる。
【００３７】
また、マイコン１０がＲＴＣ回路２６及びＲＴＣ出力部２８を設けることで、マイコン１０の外部にＲＴＣ回路２６及びＲＴＣ出力部２８を設ける場合と比較して、ＬＣＤ５０などの設計の自由度を高めることができる。
【００３８】
（対応関係）
画像信号が、「画像情報」の一例である。ＬＣＤ５０が、「液晶装置」の一例である。第１所定周期が、「所定周期」の一例である。入出力部１４が、「出力部」の一例である。ＲＴＣ回路２６及びＲＴＣ出力部２８で構成される回路が、「発振回路」の一例である。
【００３９】
（第２実施例）
図３、図４を用いて、第１実施例と異なる点について説明する。なお、以下では、実施例間で共通する構成については、同じ符号を付して説明を省略する。
【００４０】
図３に示すように、表示装置２０２は、マイコン１０およびＬＣＤ５０の外部に設けられており、マイコン１０およびＬＣＤ５０に接続される発振回路２２８を備えている。発振回路２２８は、公知の発振回路であり、第１の所定周期（例えば１Ｈｚ）のパルス信号を出力可能に構成されている。また、表示装置２０２において、入出力部１４は、発振信号出力部２２６を備えている。発振信号出力部２２６は、発振回路２２８の動作を制御する発振許可信号を、発振回路２２８に出力する。具体的には、発振信号出力部２２６は、Ｈｉｇｈレベル信号とＬｏｗレベル信号を出力する。Ｈｉｇｈレベル信号が入力される場合、発振回路２２８は動作し、ＬＣＤ５０にパルス信号を出力する。一方、Ｌｏｗレベル信号が入力される場合、発振回路２２８は動作しない。この場合、発振回路２２８からＬＣＤ５０にパルス信号は出力されない。なお、マイコン１０が通常モードからスリープモードに移行する場合、発振信号出力部２２６から発振回路２２８に出力される信号は維持される。従って、図４に示すように、通常モードにおいて、発振信号出力部２２６からＨｉｇｈレベル信号が出力されている場合、マイコン１０がスリープモードに移行しても、発振回路２２８へのＨｉｇｈレベル信号の入力は維持される。このため、通常モードにおいて、発振信号出力部２２６から発振回路２２８にＨｉｇｈレベル信号が出力されていれば、マイコン１０がスリープモードに切り替わった後も、発振回路２２８からＬＣＤ５０へのパルス信号の出力は継続される。これにより、マイコン１０がスリープモード状態で動作している場合でも、ＬＣＤ５０は、第１所定周期毎に、複数の画素に印加する電圧の極性の反転を実行することができる。
【００４１】
また、図２のＯＮ動作中において、制御部１２は、発振信号出力部２２６にＬｏｗレベル信号を出力するように指示する。これにより、ＯＮ動作中、特にＴ３において、ＬＣＤ５０にパルス信号が入力されることを防止することができる。また、ＯＮ動作から通常動作に移行した場合において、マイコン１０がスリープモードに移行する前に、制御部１２は、発振信号出力部２２６に、ＬＣＤ５０へのＨｉｇｈレベル信号の出力を指示する。これにより、通常動作中において、マイコン１０が通常モードとスリープモードのいずれの運転モードで動作していても、発振回路２２８へのＨｉｇｈレベル信号の出力は維持される。このため、発振回路２２８からＬＣＤ５０にパルス信号が出力される。このため、マイコン１０をスリープモードで動作させても、ＬＣＤ５０の劣化は防止される。以上より、第２実施例でも、第１実施例と同等の効果を奏することができる。また、マイコン１０の外部に発振回路２２８を設けることで、マイコン１０に発振回路を内蔵させる場合と比較して、マイコン１０を小型化することができる。
【００４２】
なお、第２実施例において、マイコン１０が通常モードからスリープモードに移行する場合、発振信号出力部２２６から発振回路２２８に出力される信号が維持されている。これに代えて、マイコン１０の外部にラッチ回路を設け、ラッチ回路が発振回路２２８に出力される信号を保持してもよい。この場合、マイコン１０が通常モードからスリープモードに移行しても、ラッチ回路によって発振回路に出力される信号が保持されるため、発振回路２２８からＬＣＤ５０へのパルス信号の出力は継続される。従って、マイコン１０が通常モードからスリープモードに移行する場合に、マイコン１０（詳細には、発振信号出力部２２６）が、発振回路２２８に出力される信号を維持する必要が無くなる。
【００４３】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００４４】
２      ：表示装置
１０    ：マイコン
１２    ：制御部
１４    ：入出力部
１６    ：電源信号出力部
１８    ：ＣＬＫ信号出力部
２０    ：ＳＯ信号出力部
２２    ：ＣＳ信号出力部
２４    ：表示信号出力部
２６    ：ＲＴＣ回路
２８    ：ＲＴＣ出力部
３０    ：メインクロック
３２    ：サブクロック
３４    ：割込端子
５０    ：ＬＣＤ
６０    ：レギュレータ
１１０  ：電源
２０２  ：表示装置
２２６  ：発振信号出力部
２２８  ：発振回路
【図１】
2018013723.tif 000003
【図２】
2018013723.tif 000004
【図３】
2018013723.tif 000005
【図４】
2018013723.tif 000006